(57)【要約】【課題】放熱性を向上できるランプ装置、およびこのランプ装置を用いた照明器具を提供する。【解決手段】金属製のランプ装置本体31の光源取付面36にＬＥＤモジュール基板48を密着接続して取り付ける。光源取付面36側から口金部35側に熱伝導可能にねじ42で接続する。ＬＥＤ32が発生する熱を光源取付面36に効率よく熱伝導するとともに、光源取付面36から口金部35にも効率よく熱伝導する。口金部35に熱伝導した熱を器具本体12に熱伝導し、効率よく放熱する。【選択図】図１
2010129488.tif 000002
【特許請求の範囲】
【請求項１】
扁平状で、その一面側に設けられた口金部、および他面側に設けられた光源取付面を有し、光源取付面側から口金部側に熱伝導接続手段によって熱伝導可能に接続された金属製のランプ装置本体と；
ＬＥＤが搭載され、ランプ装置本体の光源取付面に密着接続して取り付けられたＬＥＤモジュール基板と；
ＬＥＤを点灯させる点灯回路と；
を具備していることを特徴とするランプ装置。
【請求項２】
器具本体と；
この器具本体に取り付けられ、ランプ装置の口金部を保持するとともに電源供給するソケット装置と；
ソケット装置に着脱可能に装着され、装着状態で器具本体にランプ装置本体が熱伝導可能に接触する請求項１記載のランプ装置と；
を具備していることを特徴とする照明器具。
【発明の詳細な説明】
【技術分野】
【０００１】
本発明は、扁平状でその一面側に口金部が設けられるとともに他面側に光源が配置されたランプ装置、およびこのランプ装置を用いた照明器具に関する。
【背景技術】
【０００２】
従来、ＩＥＣ（国際電気標準会議）で規格されたＧＸ５３形の口金部を用いたランプ装置がある。このランプ装置は、扁平状で、その上面側にＧＸ５３形の口金部が設けられ、下面側に光源として平面形の蛍光ランプが配置される光源取付面部が設けられ、口金部の内側に蛍光ランプを点灯させる点灯回路が収容され、上面側と下面側とのなす高さ方向の寸法が小さい薄形に構成されている。
【０００３】
口金部の上面には、ランプ装置の高さ方向を軸方向として、先端に径大部を有する一対のランプピンが突出されている。そして、ランプ装置のランプピンをソケット装置のソケット部に下方から挿入し、ランプ装置を回動させてランプピンをソケット部に引っ掛けることにより、ランプ装置をソケット装置に保持するとともに、ランプピンにソケット部の受金が接触してランプピンに電源供給するように構成されている。
【０００４】
蛍光ランプの点灯で生じる熱の影響から点灯回路を保護するために、この点灯回路を収容する口金部の一部を金属製の放熱板としたり、口金部全体を金属製としている（例えば、特許文献１参照。）。
【特許文献１】特開２００７−２８７６８４号公報（第４−５、７頁、図３、図１２）
【発明の開示】
【発明が解決しようとする課題】
【０００５】
ランプ装置の点灯時には光源が発熱するため、放熱が必要である。特に光源としてＬＥＤを用いた場合、十分な放熱が行われないと、ＬＥＤ自体の温度が高くなることでＬＥＤが熱劣化して短寿命の原因となり、場合によっては発光効率が低下するため、十分な放熱性が必要となる。
【０００６】
従来のランプ装置では、蛍光ランプの点灯で生じる熱の影響から点灯回路を保護することを目的として、口金部の一部を金属製の放熱板としたり、口金部全体を金属製としたものがあるものの、光源取付面部側から口金部側に積極的に熱伝導させるようにしておらず、光源としてＬＥＤを用いた場合には十分な放熱性が得られない問題がある。
【０００７】
本発明は、このような点に鑑みなされたもので、放熱性を向上できるランプ装置、およびこのランプ装置を用いた照明器具を提供することを目的とする。
【課題を解決するための手段】
【０００８】
請求項１記載のランプ装置は、扁平状で、その一面側に設けられた口金部、および他面側に設けられた光源取付面を有し、光源取付面側から口金部側に熱伝導接続手段によって熱伝導可能に接続された金属製のランプ装置本体と；ＬＥＤが搭載され、ランプ装置本体の光源取付面に密着接続して取り付けられたＬＥＤモジュール基板と；ＬＥＤを点灯させる点灯回路と；を具備しているものである。
【０００９】
ランプ装置本体は、口金部側と光源取付面側とが別体でも一体でも構わない。別体であれば、それらをねじ止めや互いに螺合するなどの熱伝導接続手段によって密着させ、光源取付面側から口金部側に熱伝導可能に接続する。熱伝導接続手段として一体構造を用いれば、光源取付面側から口金部側に熱伝導可能に接続された状態となる。ランプ装置本体の他面側にはＬＥＤモジュール基板を覆うグローブを取り付けてもよい。
【００１０】
口金部は、例えばＧＸ５３形などの口金構造が用いられる。
【００１１】
点灯回路は、ランプ装置本体内に収納されていても、ランプ装置本体の他面側にＬＥＤと一緒に配置されていても構わない。
【００１２】
ＬＥＤモジュール基板は、例えば、金属製の基板に絶縁層を介して配線パターンが形成され、配線パターン上にＬＥＤが接続され、ねじなどによってランプ装置本体の光源取付面に密着接続するように取り付けられる。
【００１３】
請求項２記載の照明器具は、器具本体と；この器具本体に取り付けられ、ランプ装置の口金部を保持するとともに電源供給するソケット装置と；ソケット装置に着脱可能に装着され、装着状態で器具本体にランプ装置本体が熱伝導可能に接触する請求項１記載のランプ装置と；を具備しているものである。
【００１４】
器具本体は、例えば金属製で、反射体と一体または別体のいずれでも構わない。器具本体が、ランプ装置本体と熱伝導可能に接触する場所は、口金部の周面、口金部の端面などいずれでも構わない。
【発明の効果】
【００１５】
請求項１記載のランプ装置によれば、金属製のランプ装置本体の光源取付面にＬＥＤモジュール基板を密着接続して取り付け、この光源取付面側から口金部側に熱伝導可能に熱伝導接続手段にて接続しているため、ＬＥＤが発生する熱を光源取付面に効率よく熱伝導できるとともにこの光源取付面側から口金部側にも効率よく熱伝導でき、放熱性を向上できる。
【００１６】
請求項２記載の照明器具によれば、ソケット装置に装着したランプ装置本体が器具本体に熱伝導可能に接触するため、ランプ装置本体から器具本体に効率よく熱伝導でき、放熱性を向上できる。
【発明を実施するための最良の形態】
【００１７】
以下、本発明の実施の形態を、図面を参照して説明する。
【００１８】
図１および図２に第１の実施の形態を示し、図１は照明器具の断面図、図２は照明器具のソケット装置とランプ装置の分解状態の斜視図である。
【００１９】
照明器具11は、例えばダウンライトであり、器具本体12、この器具本体12に取り付けられたソケット装置13、およびこのソケット装置13に着脱可能なランプ装置14を備えている。なお、以下、これらの上下方向などの方向関係は、ランプ装置14を水平に取り付ける状態を基準として、口金側を上側、光源側を下側として説明する。
【００２０】
器具本体12は、金属製で、反射体が一体に形成されており、円形の平板部17、およびこの平板部17の周辺部から下方へ湾曲状に折り曲げられた反射板部18を有している。反射板部18は、下側に向かうにしたがって拡径されている。
【００２１】
また、ソケット装置13は、絶縁性を有する合成樹脂製の円筒状のソケット装置本体21を有し、このソケット装置本体21の中央には嵌合孔22が上下方向に貫通形成されている。
【００２２】
ソケット装置本体21の下面には、一対のソケット部24が形成されている。これらソケット部24には、接続孔25が形成されているとともに、この接続孔25の内側に電源供給する図示しない受金が配置されている。接続孔25は、ソケット装置本体21の中心に対して回転対称に位置する円弧状の溝部であり、この円弧状の溝部の一端には拡径部26が形成されている。
【００２３】
また、ランプ装置14は、扁平状のランプ装置本体31、このランプ装置本体31の下面側に配置される光源としての複数のＬＥＤ32、ＬＥＤ32を覆うグローブ33、およびＬＥＤ32を点灯させる点灯回路34を有し、高さ方向の寸法が小さい薄形に形成されている。
【００２４】
ランプ装置本体31の一面側である上面側にはＧＸ５３形の口金部35が形成され、他面側である下面側にはＬＥＤ32を取り付ける平面状の光源取付面36が形成され、内部には点灯回路34を収容する収容部37が形成されている。
【００２５】
ランプ装置本体31は、全体が放熱性に優れたアルミニウムなどの金属によって形成されたものであって、例えばアルミダイカスト製であり、口金部35を構成する口金側金属部品38と光源取付面36を構成する光源側金属部品39とに分割形成されている。口金側金属部品38は、下方へ向けて開口した円盤状に形成され、環状の外周部40の端面に光源側金属部品39が接触する接触面41が形成されている。光源側金属部品39は、口金側金属部品38の下面開口を閉塞可能な平円板状に形成され、上面の周辺部が口金側金属部品38の接触面に接触可能としている。そして、熱伝導接続手段としての複数のねじ42により光源側金属部品39が口金側金属部品38に締め付け固定され、光源側金属部品39から口金側金属部品38に熱伝導可能に密着接続されている。
【００２６】
口金部35には、ソケット装置13の下面に当接する環状の当接面43が形成され、この当接面43の中央からソケット装置13の嵌合孔22に嵌合可能とする円柱状の突出部44が突出されている。
【００２７】
当接面43には、導電性を有する金属製の一対のランプピン45が絶縁材46を介して突出されている。これらランプピン45の先端部には径大部47が形成されている。そして、各ランプピン45の径大部47がソケット装置13の各接続孔25の拡径部26から挿入され、ランプ装置14の回動によりランプピン45が接続孔25に移動することにより、ランプピン45が受金に電気的に接触されるとともに、径大部47が接続孔25の縁部に引っ掛かって、ランプ装置14をソケット装置13に保持するように構成されている。
【００２８】
複数のＬＥＤ32は、ＬＥＤモジュール基板48に搭載されており、このＬＥＤモジュール基板48の上面がランプ装置本体31の光源取付面36に密着状態に取り付けられている。このＬＥＤモジュール基板48は、金属製の基板の下面に絶縁層を介して配線パターンが形成され、この配線パターンに複数のＬＥＤ32が接続されている。ねじなどによってＬＥＤモジュール基板48の上面がランプ装置本体31の光源取付面36に密着するように取り付けられている。
【００２９】
グローブ33は、透光性を有する透明あるいは光拡散性を有するガラスや合成樹脂により形成されている。
【００３０】
点灯回路34は、回路基板49、およびこの回路基板49に実装された点灯回路部品50を有し、回路基板49の入力部にリード線51でランプピン45が電気的に接続され、回路基板49の出力部にリード線などでＬＥＤモジュール基板48が電気的に接続されている。回路基板49は、図示しない絶縁材を介在してランプ装置本体31の収容部37に収容されている。
【００３１】
そして、ランプ装置14をソケット装置13に装着するには、ランプ装置14の各ランプピン45をソケット装置本体21の各接続孔25の拡径部26に合わせて挿入するようにランプ装置14を上昇させた後、ランプ装置14を装着方向へ回動させて、各ランプピン45を各接続孔25に移動させることにより、各ランプピン45がソケット装置13の受金に電気的に接触されるとともに、各ランプピン45の径大部47が接続孔25の縁部に引っ掛かり、ランプ装置14をソケット装置13に装着できる。
【００３２】
ランプ装置14をソケット装置13に装着した状態では、ランプ装置本体31の外周部40が器具本体12の反射板部18に熱伝導可能に接触し、ランプ装置本体31の突出部44の上面が器具本体12の平板部17に熱伝導可能に接触する。
【００３３】
なお、反射板部18を円周方向に分割するような複数のスリットを反射板部18に設け、分割された反射板部18の小片に弾性を持たせるようにしてランプ装置本体31の外周部38と反射板部18とを密着させるように構成してもよい。さらに、ランプ装置本体31の外周部38に密着する金属製のばね部材を別途も受けて熱伝導させるように構成しても構わない。
【００３４】
また、ランプ装置14のＬＥＤ32の点灯時においては、ＬＥＤ32から発生する熱が効率よく放熱される。すなわち、金属製のランプ装置本体31の光源取付面36にＬＥＤモジュール基板48を密着接続して取り付け、この光源取付面36側から口金部35側に熱伝導可能に熱伝導接続手段であるねじ42によって接続しているため、ＬＥＤ32が発生する熱を光源取付面36に効率よく熱伝導できるとともにこの光源取付面36側から口金部35側にも効率よく熱伝導できる。口金部35に熱伝導された熱は、口金部35が接触する器具本体12に熱伝導され、効率よく放熱できる。
【００３５】
そのため、ランプ装置14のＬＥＤ32の温度上昇を抑制でき、ＬＥＤ32の発光効率を高い状態に維持できる。
【００３６】
次に、図３は第２の実施の形態を示し、図３は照明器具の断面図である。
【００３７】
ランプ装置本体31の光源取付面36側から口金部35側に熱伝導可能に接続する熱伝導接続手段としての螺合部54を用いたものである。すなわち、口金側金属部品38の外周部40にねじ部55を形成し、光源側金属部品39の周縁部に口金側金属部品38のねじ部55に螺合するねじ部56を形成する。
【００３８】
このように、熱伝導接続手段として螺合構造を用いた場合にも、光源取付面36側から口金部35側に効率よく熱伝導できる。
【００３９】
なお、ランプ装置本体31を、中心を通る高さ方向の分割線で縦に分割し、これらをねじ止めなどで結合するようにしてもよい。この場合、熱伝導接続手段として光源取付面36側と口金部35側とを一体構造とし、光源取付面36側から口金部35側に効率よく熱伝導できる。
【００４０】
次に、図４および図５に第３の実施の形態を示し、図４はランプ装置の側面図、図５は照明器具の断面図である。
【００４１】
ランプ装置本体31の口金部35の下面にＬＥＤモジュール基板48が熱伝導可能に取り付けられる平面状の光源取付面36が形成され、口金部35の突出部44の内側に点灯回路34を収容する収容部37が形成されている。ランプピン45と点灯回路34との接続は、光源取付面36に溝を形成し、この溝にランプピン45と点灯回路34とを接続するリード線を配置するようにすればよい。ランプ装置本体31の突出部44の一部または全部を分割形成し、収容部37に点灯回路34を収容できるように構成されている。
【００４２】
また、ランプ装置14をソケット装置13に装着することにより、ランプ装置14の口金部35の当接面43が器具本体12に熱伝導可能に密着接触するように構成されている。この場合、ランプ装置14のランプピン45の位置に対応して器具本体12に開口部が形成され、この開口部に臨んでソケット装置13が配置されており、ランプピン45が器具本体12に接触せずにソケット装置13に装着可能としている。
【００４３】
そして、熱伝導接続手段として光源取付面36側と口金部35側とを一体構造としているため、光源取付面36側から口金部35側に効率よく熱伝導できる。
【００４４】
口金部35に熱伝導された熱は、口金部35の当接面43が接触する器具本体12に効率よく熱伝導され、効率よく放熱できる。
【００４５】
なお、点灯回路34はランプ装置本体31の下面側にＬＥＤ32と一緒に配置してもよい。この場合、ランプ装置本体31は点灯回路34を収容する収容部37を設けたり分割形成する必要がなく、ランプ装置本体31を簡単にできる。
【図面の簡単な説明】
【００４６】
【図１】本発明の第１の実施の形態を示す照明器具の断面図である。
【図２】同上照明器具のソケット装置とランプ装置の分解状態の斜視図である。
【図３】本発明の第２の実施の形態を示す照明器具の断面図である。
【図４】本発明の第３の実施の形態を示すランプ装置の側面図である。
【図５】同上照明器具の断面図である。
【符号の説明】
【００４７】
11    照明器具
12    器具本体
13    ソケット装置
14    ランプ装置
31    ランプ装置本体
32    ＬＥＤ
34    点灯回路
35    口金部
36    光源取付面
42    熱伝導接続手段としてのねじ
48    ＬＥＤモジュール基板
54    熱伝導接続手段としての螺合部
【図１】
2010129488.tif 000003
【図２】
2010129488.tif 000004
【図３】
2010129488.tif 000005
【図４】
2010129488.tif 000006
【図５】
2010129488.tif 000007